(57)【要約】【課題】シャッターカーテンが異常の発生により急激に落下したときその落下を瞬時にかつ確実に停止させて安全性の向上を図り得る建築用シャッターの落下防止装置を提供する。【解決手段】落下防止装置は、シャッターカーテンの巻き取りドラムの支軸に回転一体に装着されたカム板１６及び爪車１４と、カム板及び爪車に近接した位置で中央部が支軸２１を介して揺動可能に支持されかつ一端に爪車に噛合可能な爪先２２ａが形成された爪具２２と、爪具の他端に設けられたローラ２３とを備え、通常はローラがカム板の外周に接触し、巻き取りドラムが所定の回転速度に達したときローラがカム板の外周から離れるように爪具が揺動して爪先が爪車に噛合することにより、巻き取りドラムの回転を停止させてシャッターカーテンの急激な落下を防止する。更に、爪具の爪先が爪車に噛合した際爪先が反動で爪車から離れる方向に揺動するのを規制する規制手段３０を備える。【選択図】図２
2006241807.tif 000002
【特許請求の範囲】
【請求項１】
シャッターカーテンの巻き取りドラムの支軸に回転一体に装着されたカム板及び爪車と、このカム板及び爪車に近接した位置で中央部が支軸を介して揺動可能に支持されかつ一端に爪車に噛合可能な爪先が形成された爪具と、この爪具の他端に設けられたローラとを備え、通常はローラがカム板の外周に接触し、巻き取りドラムが所定の回転速度に達したときローラがカム板の外周から離れるように爪具が揺動してその爪先が爪車に噛合することにより、巻き取りドラムの回転を停止させてシャッターカーテンの急激な落下を防止するように構成された建築用シャッターの落下防止装置において、
上記爪具の爪先が爪車に噛合した際この爪先が反動で爪車から離れる方向に揺動するのを規制する規制手段を備えたことを特徴とする建築用シャッターの落下防止装置。
【請求項２】
上記規制手段は、爪具の爪先側に近接してその揺動を規制する規制位置と爪具の爪先側から離れた待機位置との間に移動可能に設けられた規制部材と、この規制部材を待機位置から規制位置に移動させるように常時付勢するばねと、このばねの付勢力に抗して規制部材を待機位置に保持する保持レバーとを有し、この保持レバーは、爪具の爪先が爪車に噛合する方向に揺動する際この爪先側に設けた突起部との接触により規制部材の待機位置での保持を解除するように設けられている請求項１記載の建築用シャッターの落下防止装置。
【発明の詳細な説明】
【技術分野】
【０００１】
本発明は、電動式又は手動式の建築用シャッターの異常時にシャッターカーテンの急激な落下を防止するための落下防止装置に関する。
【背景技術】
【０００２】
従来、この種の建築用シャッターの落下防止装置として、例えば特許文献１に開示され、図６にも示すように、シャッターカーテンの巻き取りドラムの支軸ａ（巻き取り軸ともいう）に取り付けられるものが知られている。この落下防止装置は、巻き取りドラムの支軸ａに回転一体に装着されたカム板ｂ及び爪車ｃと、このカム板ｂ及び爪車ｃに近接した位置で中央部が支軸ｄを介してケーシングｅに揺動可能に支持されかつ一端に爪車ｃに噛合可能な爪先ｆ１が形成された爪具ｆと、この爪具ｆの他端に設けられたローラｇとを備える。そして、通常は爪具ｆの自重又はばねなどの付勢力によりローラｇがカム板ｂの外周に接触しており、ローラチェーンの破断やブレーキの故障などの異常が発生してシャッターカーテンが急激に落下したときには、巻き取りドラムの支軸ａ，カム板ｂ及び爪車ｃも急激に回転速度を増し、ローラｇはカム板ｂのカム片ｂ１頂部付近で弾かれてカム板ｂの外周から離れる。爪具ｆは揺動してその爪先ｆ１が爪車ｃに噛合し、これにより、巻き取りドラムの回転を停止させてシャッターカーテンの急激な落下を防止することができる。尚、ケーシングｅは、建物の壁面ｈなどに接触して固定されている。
【特許文献１】実公平７−２５４３８号公報
【発明の開示】
【発明が解決しようとする課題】
【０００３】
ところが、上記従来の落下防止装置では、爪具ｆの爪先ｆ１が爪車ｃに噛合する際この爪先ｆ１が反動で爪車ｃから離れることが生じることに起因して、巻き取りドラムの回転ひいてはシャッターカーテンの落下を瞬時にかつ確実に停止させることができないという欠点がある。
【０００４】
本発明はかかる点に鑑みてなされたものであり、その課題とするところは、従来のものに改良を加えて、シャッターカーテンが異常の発生により急激に落下したときその落下を瞬時にかつ確実に停止させて安全性の向上を図り得る建築用シャッターの落下防止装置を提供せんとするものである。
【課題を解決するための手段】
【０００５】
上記の課題を解決するため、請求項１に係る発明は、建築用シャッターの落下防止装置として、シャッターカーテンの巻き取りドラムの支軸に回転一体に装着されたカム板及び爪車と、このカム板及び爪車に近接した位置で中央部が支軸を介して揺動可能に支持されかつ一端に爪車に噛合可能な爪先が形成された爪具と、この爪具の他端に設けられたローラとを備え、通常はローラがカム板の外周に接触し、巻き取りドラムが所定の回転速度に達したときローラがカム板の外周から離れるように爪具が揺動してその爪先が爪車に噛合することにより、巻き取りドラムの回転を停止させてシャッターカーテンの急激な落下を防止するように構成することを前提とする。そして、上記爪具の爪先が爪車に噛合した際この爪先が反動で爪車から離れる方向に揺動するのを規制する規制手段を備える構成にする。
【０００６】
この構成では、シャッターカーテンが異常の発生により急激に落下したときには、ローラがカム板の外周から離れるように爪具が揺動してその爪先が爪車に噛合し、その上、規制部材により爪具の爪先が反動で爪車から離れる方向の揺動が規制されるため、爪具の爪先と爪車との噛合による巻き取りドラムの回転停止ひいてはシャッターカーテンの落下停止が瞬時にかつ確実に行われることになる。
【０００７】
請求項２に係る発明は、請求項１記載の建築用シャッターの落下防止装置において、上記規制手段の具体的な形態を示すものである。すなわち、この規制手段は、爪具の爪先側に近接してその揺動を規制する規制位置と爪具の爪先側から離れた待機位置との間に移動可能に設けられた規制部材と、この規制部材を待機位置から規制位置に移動させるように常時付勢するばねと、このばねの付勢力に抗して規制部材を待機位置に保持する保持レバーとを有し、この保持レバーを、爪具の爪先が爪車に噛合する方向に揺動する際この爪先側に設けた突起部との接触により規制部材の待機位置での保持を解除するように設けるものである。
【発明の効果】
【０００８】
以上のように、本発明における建築用シャッターの落下防止装置によれば、シャッターカーテンが異常の発生により急激に落下したとき、爪具が揺動してその爪先が爪車に噛合した上、規制部材により爪具の爪先が反動で爪車から離れる方向の揺動が規制されるため、巻き取りドラムの回転停止ひいてはシャッターカーテンの落下停止を瞬時にかつ確実に行うことができ、安全性の向上を図ることができる。
【発明を実施するための最良の形態】
【０００９】
以下、本発明を実施するための最良の形態である実施形態を図面に基づいて説明する。
【００１０】
図１は本発明の一実施形態に係る落下防止装置を装備する電動式の建築用シャッターを示し、１はシャッターカーテン（図示せず）を巻き取る巻き取りドラムであって、この巻き取りドラム１の両端部にはそれぞれその軸心に沿って内部から外部に延出する支軸２Ｌ，２Ｒが設けられ、この両支軸２Ｌ，２Ｒは、それぞれ建物の壁面に取り付けられたブラケット３，４に回転自在に支持されている。
【００１１】
図で右側のブラケット４には、駆動モータ５がその出力軸５ａをブラケット４に向けた状態で取り付けられ、この駆動モータ５の出力軸５ａには駆動スプロケット６が、巻き取りドラム１の向かって右側の支軸２Ｒには従動スプロケット７がそれぞれ装着されているとともに、この両スプロケット６，７間にはローラチェーン８が巻き掛けられている。しかして、駆動モータ５の正逆回転により巻き取りドラム１が軸心回りに回転してその外周にシャッターカーテンを巻き取り、あるいは巻き取りドラム１の下方に巻き出すようになっている。また、巻き取りドラム１の左側の支軸２Ｌはブラケット３の軸受け部３ａよりも外側に延出され、その先端部にはシャッターカーテンの急激な落下を防止するための落下防止装置１０が取り付けられている。
【００１２】
上記落下防止装置１０は、図２及び図３に示すように、建物の壁面などに接触して固定されるケーシング１１と、このケーシング１１内に軸受け１２，１２を介して回転自在に支持された略円筒状の回転体１３と、この回転体１３の外周に回転一体に固着され回転体１３をボス部とする爪車１４と、上記回転体１３の外周に遊びを有した状態で嵌合されかつ爪車１４にねじ１５止めされたカム板１６とを備えている。上記回転体１３には巻き取りドラム１の支軸２Ｌが嵌合され、この両者は回転体１３のキー溝１７及び支軸２Ｌのキー溝（図示せず）に跨ってキー（図示せず）を挿入して回転一体に結合されている。上記爪車１４は、その外周に複数の爪部１４ａ，１４ａ，…を有してなり、上記カム板１６は、その外周に爪部１３ａと同数の緩やかな尖塔状のカム片１６ａ，１６ａ，…を有してなる。このカム板１６を爪車１４にねじ止めするためのねじ１５を挿通するねじ挿通孔１８は、回転体１３の軸心を中心とする円弧状の長孔に形成されており、爪車１４の爪部１４ａとカム板１６のカム片１６ａとは円周方向に相互の位相関係を調整し得るようになっている。
【００１３】
また、上記落下防止装置１０は、ケーシング１１内の爪車１４及びカム板１６に近接した位置で中央部が支軸２１を介して揺動可能に支持されかつ一端に爪車１４に噛合可能な爪先２２ａが形成された爪具２２と、この爪具２２の他端部にカム板１６に対応して設けられたローラ２３とを備えている。しかして、通常は爪具２２の自重によりローラ２３がカム板１６の外周に接触しており、ローラチェーン８の破断や駆動モータ６内蔵のブレーキ（図示せず）の故障などの異常が発生してシャッターカーテンが急激に落下したときには、巻き取りドラム１、その支軸２Ｌ，２Ｒ、回転体１３、爪車１４及びカム板１６も急激に回転速度を増し、ローラ２３はカム板１６のカム片１６ａ頂部付近で弾かれてカム板１６の外周から離れる。爪具２２は揺動してその爪先２２ａが爪車１４に噛合し、これにより、巻き取りドラム１の回転を停止させてシャッターカーテンの急激な落下を防止するようになっている。
【００１４】
そして、本発明の特徴点として、上記落下防止装置１０は、上記爪具２２の爪先２２ａが爪車１４に噛合した際この爪先２２ａが反動で爪車１４から離れる方向に揺動するのを規制する規制手段３０を備えている。この規制手段３０は、図４及び図５に拡大詳示するように、ケーシング１１の前壁内側に固定された支持部材３１と、この支持部材３１に一端が支軸３２を介して回動可能に支持された略Ｌ字状の規制部材３３とを有しており、規制部材３３は、図５に示す如く爪具２２の爪先２２ａが爪車１４に噛合した際自由端が爪具２２の爪先２２ａ側に近接して爪先２２ａが爪車１４から離れる方向の揺動を規制する規制位置と、図４に示す如く自由端が爪具２２の爪先２２ａ側から離れてケーシング１１の前壁内側寄りに位置する待機位置との間に移動可能（詳しくは回動可能）に設けられている。
【００１５】
上記規制手段３０は、更に、上記規制部材３３を待機位置から規制位置に移動させるように常時付勢する引張コイルばね３４と、この引張コイルばね３４の付勢力（ばね反力）に抗して規制部材３３を待機位置に保持する保持レバー３５とを有しており、引張コイルばね３４の一端は規制部材３３の中央部に、他端はケーシング１１に設けたねじよりなる掛け止め部３６にそれぞれ掛け止めされている。また、上記保持レバー３５はく字状のもので、その中央部は支軸３７を介して支持部材３１に回動可能に支持されている。この保持レバー３５の一端部には、規制部材３３が待機位置に位置するとき規制部材３３に設けたピン３８が係合する段差状の係合部３９が形成され、この係合部３９でのピン３８との係合によって規制部材３３を待機位置に保持する一方、上記爪具２２の爪先２２ａが爪車１４に噛合する方向に揺動する際この爪先２２ａ側に設けた突起部としてのピン４０が保持レバー３５の他端部に接触して保持レバー３５を支軸３７回りに図で反時計方向に回動させて規制部材３３の待機位置での保持を解除するようになっている。
【００１６】
尚、図２、図４及び図５中、４１は保持レバー３５の他端部と支持部材３１との間に掛け渡された引張コイルばねであって、この引張コイルばね４１は、爪具２２の爪先２２ａ側のピン４０との接触により保持レバー３５が支軸３７回りに反時計方向に回動して規制部材３３の待機位置での保持を解除した後この保持レバー３５を時計方向に回動させて保持レバー３５を爪具２２から離すようにするためのもので、そのばね定数は、引張コイルばね３４のそれよりも小さく設定されている。４２は規制部材３３を引張コイルばね３４のばね反力に抗して支軸３２回り回動させて規制位置から待機位置に戻すための復帰ワイヤであって、この復帰ワイヤ４２の一端はケーシング１１外に延出されかつリング４３に接続されている。４４は爪具２２の揺動を感知して落下防止装置１０の作動時つまり巻き取りドラム１の回転停止時を検知するマイクロスイッチであって、このマイクロスイッチ４４は、リード線４５を介して建築用シャッターの制御盤（図示せず）に接続されている。
【００１７】
次に、上記落下防止装置１０の作動を説明するに、建築用シャッターの通常の作動時には、爪車１４及びカム板１６は巻き取りドラム１の支軸２Ｌと一体に回転し、爪具２２端部のローラ２３は、爪具２２の自重によりカム板１６の外周に接触したままカム板１６の回転に伴ってカム板１６の外周に沿って転動する。その際、爪具２２は支軸２１回りに若干揺動するが、爪具２２の爪先２２ａが爪車２２の爪部１４ａと接触することはない。また、規制手段３０は図２及び図４に示す状態にあって、規制部材３３は、自由端がケーシング１１の前壁内側寄りに位置する待機位置に位置する。
【００１８】
一方、シャッターカーテンがローラチェーン８の破断や駆動モータ６内蔵のブレーキの故障など異常の発生により急激に落下したときには、巻き取りドラム１の支軸２Ｌ，爪車１４及びカム板１６も急激に回転速度を増し、爪具２２端部のローラ２３はカム板１６のカム片１６ａ頂部付近で弾かれてカム板１６の外周から離れ、爪具２２は支軸２１回りに大きく揺動してその爪先２２ａが爪車１４に噛合する。その際、規制手段３０においては、保持レバー３５が爪具２２の爪先２２ａ側のピン４０と接触して支軸３７回りに図で反時計方向に回動することにより、この保持レバー３５の係合部３９と規制部材３３側のピン３８との係合による規制部材３３の待機位置での保持が解除され、規制部材３３は、引張コイルばね３４の付勢力により待機位置から自由端が爪具２２の爪先２２ａ側に近接した規制位置に支軸３２回りに回動し、この規制部材３３により爪具２２の爪先２２ａが反動で爪車１４から離れる方向の揺動が規制される（図５に示す状態）。このため、爪具２２の爪先２２ａと爪車１４との噛合による巻き取りドラム１の回転停止ひいてはシャッターカーテンの落下停止を瞬時にかつ確実に行うことができ、安全性の向上を図ることができる。
【００１９】
尚、本発明は上記実施形態に限定されるものではなく、その他種々の実施形態を包含するものである。例えば上記実施形態では、規制手段３０の規制部材３３として、その一端を支軸３２回りに回動可能に支持し、他端である自由端が爪具２２の爪先２２ａ側に近接して爪先２２が爪車１４から離れる方向の揺動を規制する規制位置と、爪具２２の爪先２２ａ側から離れてケーシング１１の前壁内側寄りに位置する待機位置との間に移動するように設けたが、本発明は、これに限らず、例えば規制部材を軸方向に移動可能に設け、その一端（先端）が爪具２２の爪先２２ａ側に近接して爪先２２が爪車１４から離れる方向の揺動を規制する規制位置と、爪具２２の爪先２２ａ側から離れてケーシング１１の前壁内側寄りに位置する待機位置との間に移動するように構成してもよい。
【００２０】
また、上記規制部材３３を待機位置から規制位置に移動させるように常時付勢するばねとしては、上記実施形態の如く引張コイルばね３４に限らず、圧縮コイルばねや捩りばねなどその他のばねを用いてもよいのは勿論である。
【００２１】
さらに、上記実施形態では、爪具２２の爪先２２ａと反対側の端部に設けたローラ２３が通常爪具２２の自重のみでカム板１６の外周に接触するように構成したが、場合によっては、ローラ２３がカム板１６の外周に接触する方向に付勢するばねを用いてもよいのは言うまでもない。
【図面の簡単な説明】
【００２２】
【図１】本発明の実施形態に係る落下防止装置を装備した電動式の建築用シャッターの全体構成を示す正面図である。
【図２】上記落下防止装置のケーシングの一側板を取り外してみた側面図である。
【図３】図２のＡ−Ａ線における拡大断面図である。
【図４】図２の規制手段付近の拡大図である。
【図５】規制手段の規制状態を示す図４相当図である。
【図６】背景技術を説明するための落下防止装置の一部切開側面図である。
【符号の説明】
【００２３】
１    巻き取りドラム
２Ｌ  支軸
１４    爪車
１６    カム板
２１    支軸
２２    爪具
２２ａ  爪先
２３    ローラ
３０    規制手段
３３    規制部材
３４    引張コイルばね
３５    保持レバー
４０    ピン（突起部）
【図１】
2006241807.tif 000003
【図２】
2006241807.tif 000004
【図３】
2006241807.tif 000005
【図４】
2006241807.tif 000006
【図５】
2006241807.tif 000007
【図６】
2006241807.tif 000008